【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
可変表示部の変動表示を停止することで表示結果を導出し、複数の可変表示部の表示結果の組合せに応じて入賞が発生可能なスロットマシンにおいて、
遊技者が表示結果を導出させるために操作する導出操作手段と、
表示結果が導出される前に、導出が許容される表示結果の組合せを決定する事前決定手段と、
表示結果を導出する制御を行う導出制御手段と、
を備え、
前記導出制御手段は、
前記事前決定手段の決定結果が第１特定結果である場合に表示結果を導出する制御を行う第１決定時導出制御手段と、
前記事前決定手段の決定結果が第２特定結果である場合に表示結果を導出する制御を行う第２決定時導出制御手段と、
を含み、
前記第１決定時導出制御手段は、
前記複数の可変表示部のうち第１可変表示部、第２可変表示部及び第３可変表示部に未だ表示結果が導出されていない状況において前記第１可変表示部に対応する導出操作手段が操作されたときに、該導出操作手段が操作されたタイミングが所定タイミングであるときには前記第１可変表示部に所定表示結果を導出する制御を行い、該導出操作手段が操作されたタイミングが前記所定タイミング以外のタイミングであるときには前記第１可変表示部に前記所定表示結果以外の表示結果を導出する制御を行い、
前記第１可変表示部に前記所定表示結果が導出され前記第２可変表示部及び前記第３可変表示部に未だ表示結果が導出されていない状況において前記第２可変表示部に対応する導出操作手段が操作されたときに、該導出操作手段が操作されたタイミングに関わらず、前記第２可変表示部に特定表示結果以外の表示結果を導出する制御を行い、
前記第１可変表示部に前記所定表示結果が導出された後に前記第２可変表示部に前記特定表示結果以外の表示結果が導出され前記第３可変表示部に未だ表示結果が導出されていない状況において前記第３可変表示部に対応する導出操作手段が操作されたときに、該導出操作手段が操作されたタイミングに関わらず、前記第３可変表示部に特殊表示結果以外の表示結果を導出する制御を行い、
前記第２決定時導出制御手段は、
前記第１可変表示部、前記第２可変表示部及び前記第３可変表示部に未だ表示結果が導出されていない状況において前記第１可変表示部に対応する導出操作手段が操作されたときに、該導出操作手段が操作されたタイミングが前記所定タイミングであるときには前記第１可変表示部に前記所定表示結果を導出する制御を行い、該導出操作手段が操作されたタイミングが前記所定タイミング以外のタイミングであるときには前記第１可変表示部に前記所定表示結果以外の表示結果を導出する制御を行い、
前記第１可変表示部に前記所定表示結果が導出され前記第２可変表示部及び前記第３可変表示部に未だ表示結果が導出されていない状況において前記第２可変表示部に対応する導出操作手段が操作されたときに、該導出操作手段が操作されたタイミングが特定タイミングであるときには前記第２可変表示部に前記特定表示結果を導出する制御を行い、該導出操作手段が操作されたタイミングが前記特定タイミング以外のタイミングであるときには前記第２可変表示部に前記特定表示結果以外の表示結果を導出する制御を行い、
前記第１可変表示部に前記所定表示結果が導出された後に前記第２可変表示部に前記特定表示結果以外の表示結果が導出され前記第３可変表示部に未だ表示結果が導出されていない状況において前記第３可変表示部に対応する導出操作手段が操作されたときに、前記第３可変表示部に前記特殊表示結果を導出可能に制御を行う、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部の表示結果に応じて入賞が発生可能なスロットマシンに関する。
【手続補正３】
【補正対象書類名】明細書
【補正対象項目名】０００７
【補正方法】変更
【補正の内容】
【０００７】
上記課題を解決するために、本発明の請求項１に記載のスロットマシンは、
各々が識別可能な複数種類の識別情報を変動表示可能な可変表示部を複数備え、
可変表示部の変動表示を停止することで表示結果を導出し、複数の可変表示部（リール２Ｌ、２Ｃ、２Ｒ）の表示結果の組合せに応じて入賞が発生可能なスロットマシン（スロットマシン１）において、
遊技者が表示結果を導出させるために操作する導出操作手段（ストップスイッチ８Ｌ、８Ｃ、８Ｒ）と、
表示結果が導出される前に、導出が許容される表示結果の組合せを決定する事前決定手段（内部抽選）と、
表示結果を導出する制御を行う導出制御手段（リールの停止制御）と、
を備え、
前記導出制御手段は、
前記事前決定手段の決定結果が第１特定結果である場合に表示結果を導出する制御を行う第１決定時導出制御手段と、
前記事前決定手段の決定結果が第２特定結果である場合に表示結果を導出する制御を行う第２決定時導出制御手段と、
を含み、
前記第１決定時導出制御手段は、
前記複数の可変表示部のうち第１可変表示部、第２可変表示部及び第３可変表示部に未だ表示結果が導出されていない状況において前記第１可変表示部に対応する導出操作手段が操作されたときに、該導出操作手段が操作されたタイミングが所定タイミングであるときには前記第１可変表示部に所定表示結果を導出する制御を行い、該導出操作手段が操作されたタイミングが前記所定タイミング以外のタイミングであるときには前記第１可変表示部に前記所定表示結果以外の表示結果を導出する制御を行い、
前記第１可変表示部に前記所定表示結果が導出され前記第２可変表示部及び前記第３可変表示部に未だ表示結果が導出されていない状況において前記第２可変表示部に対応する導出操作手段が操作されたときに、該導出操作手段が操作されたタイミングに関わらず、前記第２可変表示部に特定表示結果以外の表示結果を導出する制御を行い、
前記第１可変表示部に前記所定表示結果が導出された後に前記第２可変表示部に前記特定表示結果以外の表示結果が導出され前記第３可変表示部に未だ表示結果が導出されていない状況において前記第３可変表示部に対応する導出操作手段が操作されたときに、該導出操作手段が操作されたタイミングに関わらず、前記第３可変表示部に特殊表示結果以外の表示結果を導出する制御を行い、
前記第２決定時導出制御手段は、
前記第１可変表示部、前記第２可変表示部及び前記第３可変表示部に未だ表示結果が導出されていない状況において前記第１可変表示部に対応する導出操作手段が操作されたときに、該導出操作手段が操作されたタイミングが前記所定タイミングであるときには前記第１可変表示部に前記所定表示結果を導出する制御を行い、該導出操作手段が操作されたタイミングが前記所定タイミング以外のタイミングであるときには前記第１可変表示部に前記所定表示結果以外の表示結果を導出する制御を行い、
前記第１可変表示部に前記所定表示結果が導出され前記第２可変表示部及び前記第３可変表示部に未だ表示結果が導出されていない状況において前記第２可変表示部に対応する導出操作手段が操作されたときに、該導出操作手段が操作されたタイミングが特定タイミングであるときには前記第２可変表示部に前記特定表示結果を導出する制御を行い、該導出操作手段が操作されたタイミングが前記特定タイミング以外のタイミングであるときには前記第２可変表示部に前記特定表示結果以外の表示結果を導出する制御を行い、
前記第１可変表示部に前記所定表示結果が導出された後に前記第２可変表示部に前記特定表示結果以外の表示結果が導出され前記第３可変表示部に未だ表示結果が導出されていない状況において前記第３可変表示部に対応する導出操作手段が操作されたときに、前記第３可変表示部に前記特殊表示結果を導出可能に制御を行う、
ことを特徴としている。
この特徴によれば、期待感を持続させることができる。
上記課題を解決するために、本発明の手段Ａのスロットマシンは、
各々が識別可能な複数種類の識別情報（図柄）を変動表示可能な第１の可変表示領域（中リール）及び第２の可変表示領域（右リール）を含む複数の可変表示領域（リール２Ｌ、２Ｃ、２Ｒ）のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されたことにより１ゲームが終了し、１ゲームの結果として前記複数の可変表示領域（リール２Ｌ、２Ｃ、２Ｒ）のそれぞれに導出された前記表示結果の組み合わせに応じて入賞が発生可能とされたスロットマシン（スロットマシン１）であって、
前記複数の可変表示領域（リール２Ｌ、２Ｃ、２Ｒ）に表示結果を導出させる際に操作されるそれぞれの導出操作手段（ストップスイッチ８Ｌ、８Ｃ、８Ｒ）と、
前記可変表示領域に表示結果が導出される前（ゲーム開始時）に入賞の発生を許容するか否かを決定する事前決定手段（内部抽選）と、
前記導出操作手段（ストップスイッチ８Ｌ、８Ｃ、８Ｒ）が操作されたときに、前記事前決定手（内部抽選）段の決定結果に応じて該導出操作手段（ストップスイッチ８Ｌ、８Ｃ、８Ｒ）に対応する可変表示領域（リール２Ｌ、２Ｃ、２Ｒ域に表示結果を導出させる制御を行う導出制御手段（リールの停止制御）と、
を備え、
前記複数の可変表示領域（リール２Ｌ、２Ｃ、２Ｒ（左リール、中リール、右リール））に導出される表示結果の組み合わせは、第１の組み合わせ（弱チェリー目）と、該第１の組み合わせ（弱チェリー目）よりも遊技者にとって有利な状況（特別役が当選している状況、ナビストックが当選している状況、ＡＲＴのゲーム数の上乗せが当選している状況等）である可能性が高い旨が示唆される第２の組み合わせ（強チェリー目）と、を含み、
前記第１の組み合わせ（弱チェリー目）は、前記第１の可変表示領域（中リール）の表示結果が特定表示結果（中段に「ＢＡＲ」が停止する停止態様）以外の表示結果でありかつ第２の可変表示領域（右リール）の表示結果が特殊表示結果（中段に「ＢＡＲ」が停止する停止態様）以外の表示結果である組み合わせであり、
前記第２の組み合わせ（強チェリー目）は、前記第１の可変表示領域（中リール）の表示結果が前記特定表示結果（中段に「ＢＡＲ」が停止する停止態様）であるかまたは前記第２の可変表示領域（右リール）の表示結果が前記特殊表示結果（中段に「ＢＡＲ」が停止する停止態様）であるかの少なくとも一方を満たす組み合わせであり、
前記導出制御手段は、
前記事前決定手段の決定結果が前記第１の組み合わせ（弱チェリー目）及び前記第２の組み合わせ（強チェリー目）のうち前記第１の組み合わせ（弱チェリー目）のみ導出することが許容される第１の特定結果（弱チェリー）のときに、前記可変表示領域に表示結果を導出させる制御を行う第１決定時導出制御手段（弱チェリー当選時のリール停止制御）と、
前記事前決定手段の決定結果が前記第１の組み合わせ（弱チェリー目）及び前記第２の組み合わせ（強チェリー目）のうち少なくとも前記第２の組み合わせ（強チェリー目）を導出することが許容される第２の特定結果（強チェリー）のときに、前記可変表示領域に表示結果を導出させる制御を行う第２決定時導出制御手段（強チェリー当選時のリール停止制御）と、
を含み、
前記第１決定時導出制御手段は、
前記複数の可変表示領域のうち前記第１の可変表示領域（中リール）に未だ表示結果が導出されていない第１の状況（中リール回転中）において前記第１の可変表示領域に対応する導出操作手段が操作されたとき（中リール停止操作時）に、該導出操作手段が操作されたタイミング（中リールの停止操作のタイミング）に関わらず、前記第１の可変表示領域（中リール）に前記特定表示結果（中段に「ＢＡＲ」が停止する停止態様）以外の表示結果を導出させる制御を行い、
前記複数の可変表示領域のうち前記第２の可変表示領域（右リール）に未だ表示結果が導出されていない第２の状況（右リール回転中）において前記第２の可変表示領域に対応する導出操作手段が操作されたときに、該導出操作手段が操作されたタイミング（右リールの停止操作のタイミング）に関わらず、前記第２の可変表示領域（右リール）に前記特殊表示結果（中段に「ＢＡＲ」が停止する停止態様）以外の表示結果を導出させる制御を行い、
前記第２決定時導出制御手段は、
前記第１の状況（中リール回転中）において前記第１の可変表示領域に対応する導出操作手段が操作されたとき（中リール停止操作時）に、該導出操作手段が操作されたタイミング（中リールの停止操作のタイミング）が複数のタイミング（０〜２０番）のうち特定のタイミング（１１番または１５番）であるときには前記第１の可変表示領域（中リール）に前記特定表示結果（中段に「ＢＡＲ」が停止する停止態様）を導出させる制御を行い、該導出操作手段が操作されたタイミング（中リールの停止操作のタイミング）が前記特定のタイミング（１１番または１５番）以外のタイミングであるときには前記第１の可変表示領域（中リール）に前記特定表示結果（中段に「ＢＡＲ」が停止する停止態様）以外の表示結果を導出させる制御を行い、
前記第２の状況（右リール回転中）において前記第２の可変表示領域に対応する導出操作手段が操作されたとき（右リールの停止操作時）に、該導出操作手段が操作されたタイミング（右リールの停止操作のタイミング）が前記複数のタイミング（０〜２０番）のうち第２のタイミング（１５〜１９番）であるときには前記第２の可変表示領域（右リール）に前記特殊表示結果（中段に「ＢＡＲ」が停止する停止態様）を導出させる制御を行い、
前記複数のタイミングに占める前記第２のタイミングの割合が、前記複数のタイミングに占める前記第１のタイミングの割合よりも多い（強チェリー当選時において中リールの中段に「ＢＡＲ」を引き込む停止操作位置が２箇所割り当てられているのに対して右リールの中段に「ＢＡＲ」を引き込む停止操作位置が５箇所割り当てられている）
ことを特徴としている。
この特徴によれば、複数の可変表示領域のうち第１の可変表示領域に未だ表示結果が導出されていない状況において第１の可変表示領域に対応する導出操作手段が操作され、第１の可変表示領域に特定表示結果が導出されることで第２の組み合わせとなり、第１の組み合わせよりも遊技者にとって有利な状況である可能性が高い旨が示唆される。また、複数の可変表示領域のうち第１の可変表示領域及び第２の可変表示領域に未だ表示結果が導出されていない状況において第１の可変表示領域に対応する導出操作手段が操作され、第１の可変表示領域に特定表示結果が導出されなかった場合でも、その後、第２の可変表示領域に特殊表示結果が導出されることで第２の組み合わせとなり、第１の組み合わせよりも遊技者にとって有利な状況である可能性が高い旨が示唆されるので、第１の可変表示領域に特定表示結果が導出されなかった場合でも、その後、第２の可変表示領域に表示結果が導出されるまで、第２の組み合わせとなることへの期待感を持続させることができる。
また、事前決定手段の決定結果が第２の特定結果であるときに、複数のタイミングに占める第１の可変表示領域に特定表示結果が導出される第１のタイミングの割合が、複数のタイミングに占める第２の可変表示領域に特殊表示結果が導出される第２のタイミングの割合よりも多く、第２の可変表示領域に第２の組み合わせが特定される特殊表示結果が導出されるよりも、第１の可変表示領域に第２の組み合わせが特定される特定表示結果が導出されにくいので、第１の可変表示領域に特定表示結果が導出され、第２の組み合わせが特定されることで遊技者の優越感を高めることができるとともに、第１の可変表示領域、第２の可変表示領域の順に表示結果を導出させた場合においては、第１の可変表示領域に表示結果が導出された時点で、第２の組み合わせが特定されにくいので、第２の組み合わせとなることに対する遊技者の期待感を効果的に持続させることができる。
【手続補正４】
【補正対象書類名】明細書
【補正対象項目名】０００９
【補正方法】変更
【補正の内容】
【０００９】
本発明の手段１に記載のスロットマシンは、手段Ａに記載のスロットマシンであって、
前記事前決定手段の決定結果が前記第２の特定結果（強チェリー）であり、前記第１の可変表示領域（中リール）に前記特定表示結果（中段に「ＢＡＲ」が停止する停止態様）が導出されたときまたは前記第２の可変表示領域（右リール）に前記特殊表示結果（中段に「ＢＡＲ」が停止する停止態様）が導出されたときに特定演出（強チェリー演出）を実行する特定演出実行手段（サブ制御部９１）を備え、
前記特定演出実行手段は、前記事前決定手段の決定結果が前記第２の特定結果（強チェリー）であるときに、前記第１の可変表示領域（中リール）に前記特定表示結果（中段に「ＢＡＲ」が停止する停止態様）が導出されたときには第１の特定演出（強チェリー演出Ａ）を実行し、前記第２の可変表示領域（右リール）に前記特殊表示結果（中段に「ＢＡＲ」が停止する停止態様）が導出されたときには前記第１の特定演出とは演出態様の異なる第２の特定演出（強チェリー演出Ｂ）を実行する
ことを特徴としている。
この特徴によれば、事前決定手段の決定結果が第２の決定結果であるときに、第１の可変表示領域に特定表示結果が導出されたときと、第２の可変表示領域に特殊表示結果が導出されたときと、で異なる演出態様にて特定演出が実行されるので、特定演出の演出態様の違いにより、第１の可変表示領域に特定表示結果が導出されることで第２の組み合わせとなったのか、第２の可変表示領域に特殊表示結果が導出されることで第２の組み合わせとなったのか、が明確となる。
【手続補正５】
【補正対象書類名】明細書
【補正対象項目名】００１０
【補正方法】変更
【補正の内容】
【００１０】
本発明の手段２に記載のスロットマシンは、手段Ａまたは手段１に記載のスロットマシンであって、
前記第２のタイミングは、前記複数のタイミングの全てに割り当てられており、
前記第２決定時導出制御手段は、前記第２の状況（右リール回転中）において前記第２の可変表示領域に対応する導出操作手段が操作されたとき（右リールの停止操作時）に、該導出操作手段が操作されたタイミング（右リールの停止操作のタイミング）が前記複数のタイミング（０〜２０番）のうちいずれのタイミングであっても前記第２の可変表示領域（右リール）に前記特殊表示結果（中段に「ＢＡＲ」が停止する停止態様）を導出させる制御を行う
ことを特徴としている。
この特徴によれば、事前決定手段の決定結果が第２の決定結果であるときに、第１の可変表示領域に特定表示結果が導出されなかったときでも、第２の可変表示領域には必ず特殊表示結果が導出されることで、第２の組み合わせとなること、すなわち第１の組み合わせとなったときよりも遊技者にとって有利な状況である可能性を遊技者に対して確実に示唆することができる。
【手続補正６】
【補正対象書類名】明細書
【補正対象項目名】００１１
【補正方法】変更
【補正の内容】
【００１１】
本発明の手段３に記載のスロットマシンは、手段Ａ、手段１または２のいずれかに記載のスロットマシンであって、
前記複数の可変表示領域（リール２Ｌ、２Ｃ、２Ｒ）に導出された表示結果の組み合わせが第２の組み合わせ（強チェリー目）となったときに、第１の有利示唆演出（前兆パターンＡに基づく前兆演出）及び第２の有利示唆演出（前兆パターンＢに基づく前兆演出）を含む遊技者にとって有利な状況である可能性が高い旨を示唆する複数種類の有利示唆演出（前兆演出）のうちいずれかの有利示唆演出（前兆演出）を実行する有利示唆演出実行手段（サブ制御部９１）を備え、
前記有利示唆演出実行手段は、前記第１の可変表示領域（中リール）の表示結果が前記特定表示結果（中段に「ＢＡＲ」が停止する停止態様）である前記第２の組み合わせ（強チェリー目）となったときと、前記第２の可変表示領域（中リール）の表示結果が前記特殊表示結果（中段に「ＢＡＲ」が停止する停止態様）である前記第２の組み合わせ（強チェリー目）となったときと、で異なる比率にて演出態様の異なる複数種類の有利示唆演出（前兆演出）のうちいずれかの種類の有利示唆演出（前兆演出）を実行する
ことを特徴としている。
この特徴によれば、第１の可変表示領域に特定表示結果が導出されて第２の組み合わせとなったときと、第２の可変表示領域に特殊表示結果が導出されて第２の組み合わせとなったときと、で実行されやすい有利示唆演出の種類が異なるので、有利示唆演出による興趣を高めることができる。
【手続補正７】
【補正対象書類名】明細書
【補正対象項目名】００１２
【補正方法】変更
【補正の内容】
【００１２】
本発明の手段４に記載のスロットマシンは、手段Ａ、手段１〜３のいずれかに記載のスロットマシンであって、
前記複数の可変表示領域は、前記第１の可変表示領域（中リール）、前記第２の可変表示領域（右リール）に加え第３の可変表示領域（左リール）を含み、
前記第１決定時導出制御手段は、前記複数の可変表示領域のうち前記第３の可変表示領域（左リール）に未だ表示結果が導出されていない第３の状況（左リール回転中）において前記第３の可変表示領域に対応する導出操作手段が操作されたとき（左リール停止操作時）に、前記第３の可変表示領域（左リール）に所定表示結果（「チェリー」が下段に停止する停止態様）を導出可能な制御を行い、
前記第２決定時導出制御手段は、前記第３の状況（左リール回転中）において前記第３の可変表示領域に対応する導出操作手段が操作されたとき（左リール停止操作時）に、前記第３の可変表示領域（左リール）に前記所定表示結果（「チェリー」が下段に停止する停止態様）を導出可能な制御を行う
ことを特徴としている。
この特徴によれば、第３の可変表示領域に所定表示結果が導出されることにより第１の特定結果または第２の特定結果が決定されていること、すなわち第１の組み合わせまたは第２の組み合わせとなることを遊技者に対して認識させることができる。
尚、第１決定時導出制御手段、第２決定時導出制御手段が、前記第３の可変表示領域に所定表示結果を導出可能な制御を行うとは、該第３の可変表示領域に対応する導出操作手段が操作されたタイミングに関わらず前記所定表示結果を導出させる制御を行う構成でも良いし、該第３の可変表示領域に対応する導出操作手段が操作されたタイミングが所定条件を満たすタイミングで操作されたときに前記所定表示結果を導出させる制御を行う構成でも良い。
【手続補正８】
【補正対象書類名】明細書
【補正対象項目名】００１３
【補正方法】変更
【補正の内容】
【００１３】
本発明の手段５に記載のスロットマシンは、手段Ａ、手段１〜４のいずれかに記載のスロットマシンであって、
前記複数の可変表示領域（リール２Ｌ、２Ｃ、２Ｒ）に導出される表示結果の組み合わせは、前記第２の組み合わせ（強チェリー目）よりも遊技者にとって有利な状況である可能性が高い旨が示唆される第３の組み合わせ（最強チェリー目）を含み、
前記第３の組み合わせ（最強チェリー目）は、前記複数の可変表示領域のうち前記第１の可変表示領域（中リール）の表示結果が前記特定表示結果（中段に「ＢＡＲ」が停止する停止態様）でありかつ前記第２の可変表示領域（右リール）の表示結果が前記特殊表示結果（中段に「ＢＡＲ」が停止する停止態様）である組み合わせであり、
前記第２決定時導出制御手段は、前記第１の可変表示領域（中リール）に前記特定表示結果（中段に「ＢＡＲ」が停止する停止態様）が導出され前記第２の可変表示領域に未だ表示結果が導出されていない状況（右リール回転中）において前記第２の可変表示領域に対応する導出操作手段が操作されたとき（右リール停止操作時）に、前記第２の可変表示領域（右リール）に前記特殊表示結果（中段に「ＢＡＲ」が停止する停止態様）以外の表示結果を導出させる制御を行い、
前記導出制御手段は、前記事前決定手段の決定結果が前記第１の組み合わせ（弱チェリー目）、前記第２の組み合わせ（強チェリー目）及び前記第３の組み合わせのうち少なくとも前記第３の組み合わせ（最強チェリー目）を導出することが許容される第３の特定果（最強チェリー）のときに、前記可変表示領域に表示結果を導出させる制御を行う第３決定時導出制御手段を含み、
前記第３決定時導出制御手段は、前記複数の可変表示領域のうち前記第１の可変表示領域（中リール）に前記特定表示結果（中段に「ＢＡＲ」が停止する停止態様）が導出され前記第２の可変表示領域に未だ表示結果が導出されていない状況（右リール回転中）において前記第２の可変表示領域に対応する導出操作手段が操作されたとき（右リール停止操作時）に、前記第２の可変表示領域（右リール）に前記特殊表示結果（中段に「ＢＡＲ」が停止する停止態様）を導出可能な制御を行う
ことを特徴としている。
この特徴によれば、第２の組み合わせは、第１の可変表示領域に特定表示結果が導出されるか、第２の可変表示領域に特殊表示結果が導出されるか、の一方であるのに対して、第１の可変表示領域に特定表示結果が導出され、かつ第２の可変表示領域に特殊表示結果が導出されることで、第２の組み合わせよりもさらに遊技者にとって有利な状況である可能性が高い旨を遊技者に対して認識させることができる。
尚、第３決定時導出制御手段が、前記第２の可変表示領域に前記特殊表示結果を導出可能な制御を行うとは、該第２の可変表示領域に対応する導出操作手段が操作されたタイミングに関わらず前記特殊表示結果を導出させる制御を行う構成でも良いし、該第２の可変表示領域に対応する導出操作手段が操作されたタイミングが所定条件を満たすタイミングで操作されたときに前記特殊表示結果を導出させる制御を行う構成でも良い。
【手続補正９】
【補正対象書類名】明細書
【補正対象項目名】００１４
【補正方法】変更
【補正の内容】
【００１４】
本発明の手段６に記載のスロットマシンは、手段Ａ、手段１〜５のいずれかに記載のスロットマシンであって、
遊技の進行を所定期間にわたり遅延させる遅延状態（フリーズ状態）に制御する遅延状態制御手段（フリーズ状態の制御）と、
前記複数の可変表示領域の表示結果の組み合わせとして前記第１の組み合わせ（弱チェリー目）が導出されたときに、前記遅延状態（フリーズ状態）において前記第１の組み合わせ（弱チェリー目）を前記第２の組み合わせ（強チェリー目）に変更する変更制御（弱チェリー目から強チェリー目への変更）を行う変更制御手段（リール演出）と、
を備える
ことを特徴としている。
この特徴によれば、複数の可変表示領域の表示結果の組み合わせとして第１の組み合わせが導出された場合でも、その後の遅延状態において第１の組み合わせから第２の組み合わせに変更する変更制御が行われることにより、第１の組み合わせが導出された場合でも、第１の組み合わせよりも遊技者にとって有利な状況である可能性が高い旨が示唆される第２の組み合わせに変更されることを期待させることができる。
【手続補正１０】
【補正対象書類名】明細書
【補正対象項目名】００１５
【補正方法】変更
【補正の内容】
【００１５】
本発明の手段７に記載のスロットマシンは、手段Ａ、手段１〜６のいずれかに記載のスロットマシンであって、
遊技の進行を所定期間にわたり遅延させる遅延状態（フリーズ状態）に制御する遅延状態制御手段（フリーズ状態の制御）と、
前記複数の可変表示領域の表示結果の組み合わせとして前記第１の組み合わせ（弱チェリー目）及び前記第２の組み合わせ（強チェリー目）以外の組み合わせが導出されたときに、前記遅延状態（フリーズ状態）において前記第１の組み合わせ（弱チェリー目）及び前記第２の組み合わせ（強チェリー目）以外の組み合わせを前記第１の組み合わせまたは前記第２の組み合わせ（強チェリー目）に変更する変更制御（弱チェリー目及び強チェリー目以外の出目から弱チェリー目または強チェリー目への変更）を行う変更制御手段（リール演出）と、
を備える
ことを特徴としている。
この特徴によれば、複数の可変表示領域の表示結果の組み合わせとして第１の組み合わせ及び第２の組み合わせ以外の組み合わせが導出された場合でも、その後の遅延状態において第１の組み合わせ及び第２の組み合わせ以外の組み合わせから第１の組み合わせまたは第２の組み合わせに変更する変更制御が行われることにより、第１の組み合わせ及び第２の組み合わせ以外の組み合わせが導出された場合でも、第１の組み合わせまたは第１の組み合わせよりも遊技者にとって有利な状況である可能性が高い旨が示唆される第２の組み合わせに変更されることを期待させることができる。
【手続補正１１】
【補正対象書類名】明細書
【補正対象項目名】００１６
【補正方法】変更
【補正の内容】
【００１６】
本発明の手段８に記載のスロットマシンは、手段Ａ、手段１〜７のいずれかに記載のスロットマシンであって、
遊技の進行を所定期間にわたり遅延させる遅延状態（フリーズ状態）に制御する遅延状態制御手段（フリーズ状態の制御）と、
前記複数の可変表示領域の表示結果の組み合わせとして前記第１の組み合わせ（弱チェリー目）及び前記第２の組み合わせ（強チェリー目）以外の組み合わせが導出されたときに、前記遅延状態（フリーズ状態）において前記第１の組み合わせ（弱チェリー目）及び前記第２の組み合わせ（強チェリー目）以外の組み合わせから前記第１の組み合わせ（弱チェリー目）に変更する第１の変更制御（弱チェリー目及び強チェリー目以外の出目から弱チェリー目への変更）を行った後、前記第１の組み合わせ（弱チェリー目）を前記第２の組み合わせ（強チェリー目）に変更する第２の変更制御（弱チェリー目から強チェリー目への変更）を行う変更制御手段（リール演出）と、
を備える
ことを特徴としている。
この特徴によれば、複数の可変表示領域の表示結果の組み合わせとして第１の組み合わせ及び第２の組み合わせ以外の組み合わせが導出された場合でも、その後の遅延状態において第１の組み合わせ及び第２の組み合わせ以外の組み合わせから第２の組み合わせに変更する変更制御が行われることにより、第１の組み合わせ及び第２の組み合わせ以外の組み合わせが導出された場合でも、第１の組み合わせよりも遊技者にとって有利な状況である可能性が高い旨が示唆される第２の組み合わせに変更されることを期待させることができる。この際、第１の組み合わせ及び第２の組み合わせ以外の組み合わせから直接第２の組み合わせに変更されるのではなく、第１の組み合わせに変更された後、第２の組み合わせに変更されるので、変更制御により第１の組み合わせに変更されることで、その後、さらに第１の組み合わせよりも遊技者にとって有利な状況である可能性が高い旨が示唆される第２の組み合わせに変更されることを期待させることができる。